(57)【要約】      （修正有）【課題】背の高さが異なる商品を効率よく保冷することができる保冷容器を提供する。【解決手段】底板２と周側壁と該周側壁に設けられており蓄冷材Ｃ１，Ｃ２を下方から支持するための支持部５とを有する発泡樹脂製の保冷容器１であって、支持部５は蓄冷材Ｃ１，Ｃ２を上下に間隔をあけて配置可能な底板２からの高さの異なる複数の支持面５１，５２を備える。【選択図】図２
0003183560.tif 000002
【実用新案登録請求の範囲】
【請求項１】
底板と周側壁と該周側壁に設けられており蓄冷材を下方から支持するための支持部とを有する発泡樹脂製の保冷容器であって、
前記支持部は前記蓄冷材を上下に間隔をあけて配置可能な底板からの高さの異なる複数の支持面を備えることを特徴とする保冷容器。
【請求項２】
前記周側壁は平面視で矩形状の上方開口を形成する二対の対向する側壁からなり、一対の対向する側壁に形成された支持面と該支持面とは高さの異なる位置において他の一対の対向する側壁に形成された支持面とによって、前記高さの異なる複数の支持面が形成されていることを特徴とする請求項１に記載の保冷容器。
【請求項３】
前記周側壁は平面視で矩形状の上方開口を形成する二対の対向する側壁からなり、いずれか一方の一対の対向する側壁にのみ高さの異なる複数の支持面が支持面群として設けられていることを特徴とする請求項１に記載の保冷容器。
【請求項４】
前記周側壁は平面視で矩形状の上方開口を形成する二対の対向する側壁からなり、一方の一対の対向する側壁には高さの異なる複数の支持面が第１の支持面群として設けられており、他方の一対の対向する側壁にも高さの異なる複数の支持面が第２の支持面群として設けられていることを特徴とする請求項１に記載の保冷容器。
【請求項５】
前記上方開口は平面視が正方形であることを特徴とする請求項２ないし４のいずれか一項に記載の保冷容器。
【考案の詳細な説明】
【技術分野】
【０００１】
本考案は、発泡樹脂製の保冷容器に関する。
【背景技術】
【０００２】
発泡樹脂製の保冷容器は、軽量であり優れた断熱性を備えることから、保冷を要する食品等の保冷容器として広く使用されている。使用にあっては、保冷を要する食品等を適宜の蓄冷材と共に保冷容器内に収容し、その後、保冷容器の上方開口を適宜の蓋体によって閉鎖することで密閉された状態とし、その状態で配送や保管に供される。
【０００３】
特許文献１には、容器の側壁に蓄冷材を載せる凸部を設けて容器上方に蓄冷材を橋渡しして保持するようにしたものが開示されている。この種の保冷容器においては、密閉した容器内での冷気の対流によって食品等の内容物を効率よく冷やすために蓄冷材を容器上方に配置している。
【先行技術文献】
【特許文献】
【０００４】
【特許文献１】特開２０００−３４６５１４号公報
【考案の概要】
【考案が解決しようとする課題】
【０００５】
近年、各家庭から注文を受けた食品の販売業者が注文を受けた食品を保冷容器に収容して、それを家庭ごとに個々に配送するデリバリーシステムが広く展開してきている。保冷容器内に収容される食品の高さは様々であり、例えば牛乳パックのような背の高い商品やヨーグルトのような背の低い商品が混在している。また、最近ではおせち料理などの重箱に入れられた食品やケーキなどの菓子類も各家庭に配送されるようになっている。重箱の段数、ケーキの高さは多種多様である。
【０００６】
例えば特許文献１のように容器上方に蓄冷材を配置する場合、蓄冷材との距離が近くなる背の高い商品は比較的効率よく保冷することができる面、蓄冷材との距離が遠くなる背の低い商品は保冷効率が低下しやすいことから、改善の余地がある。特に気温が高い夏場などには外部の熱が容器の底板を通して容器内部に伝わりやすいことから、容器上方に配置した蓄冷材からの距離が遠くなる背の低い商品に対する保冷性能をより向上させることが求められる。
【０００７】
本考案は上記の課題を解決するものであり、背の高さが異なる商品を効率よく保冷することができる保冷容器を提供するものである。
【課題を解決するための手段】
【０００８】
上記の課題を解決する本考案による保冷容器の一態様は、底板と周側壁と該周側壁に設けられており蓄冷材を下方から支持するための支持部とを有する発泡樹脂製の保冷容器であって、前記支持部は前記蓄冷材を上下に間隔をあけて配置可能な底板からの高さの異なる複数の支持面を備えることを特徴とする。
【０００９】
上記態様の保冷容器においては、容器内に商品を収容した後、蓄冷材を容器内に収容してその少なくとも一部、例えばその端部を周側壁に設けられた支持部の支持面によって下方から支持することで、容器内の商品の上方に蓄冷材を配置する。ここで、容器内の背の高い商品の上方に蓄冷材を配置する場合には、周側壁の高い位置に形成された支持面によって蓄冷材を支持する。一方、容器内の背の低い商品の上方に蓄冷材を配置する場合には、周側壁の低い位置に形成された支持面によって蓄冷材を支持する。
【００１０】
このように高さの異なる支持面を使い分け、商品の背の高さに応じて蓄冷材を配置する高さを変えることで、商品の上方のより近い位置に蓄冷材を配置することが可能になる。したがって、上記態様の保冷容器によれば、従来のように容器内の商品の背の高さによって商品の上方の離れた位置に蓄冷材が配置されることが回避され、背の高さが異なる商品を効率よく保冷することができる
【００１１】
また、支持面の各々は蓄冷材を上下に間隔をあけて配置可能な高さに形成されている。例えば、実質的に厚みが一様な板状の蓄冷材を用いる場合には、上下に隣り合う支持面の上下の間隔は、下方の支持面に配置される蓄冷材の厚みよりも大きくされる。
【００１２】
これにより、上下に隣り合う２つの支持面に配置された２つの蓄冷材の間には空間が形成される。すなわち、上方の支持面に配置された蓄冷材の下面と、下方の支持面に配置された蓄冷材の上面との間には空間が形成される。このように複数の蓄冷材を互いに間隔をあけて上下に配置することで、上方の蓄冷材によって冷却された空気が下降して、下方の蓄冷材によって再冷却される。また、上下の蓄冷材の間の空間に流入した空気が、上下の蓄冷材によって同時に冷却される。すなわち、上下の蓄冷材の間の空間に空気が流通することによって保冷性能が向上する。
【００１３】
したがって、複数の蓄冷材を同一の高さにのみ配置する場合や上下に間隔をあけずに重ねて配置する場合と比較して、容器内の商品に対する保冷能力が向上する。加えて、上方の支持面に配置された蓄冷材によって下方の支持面に配置された蓄冷材が保冷されるので、容器内の商品の保冷が可能な時間を延長することが可能になる。
【００１４】
また、本考案の保冷容器の別の態様は、前記周側壁は平面視で矩形状の上方開口を形成する二対の対向する側壁からなり、一対の対向する側壁に形成された支持面と該支持面とは高さの異なる位置において他の一対の対向する側壁に形成された支持面とによって、前記高さの異なる複数の支持面が形成されていることを特徴とする。この態様によれば、異なる二対の側壁のそれぞれの支持面によって、蓄冷材を上下に間隔をあけて互いに交差するように配置することが可能になる。
【００１５】
また、本考案の保冷容器の別の態様は、前記周側壁は平面視で矩形状の上方開口を形成する二対の対向する側壁からなり、いずれか一方の一対の対向する側壁にのみ高さの異なる複数の支持面が支持面群として設けられていることを特徴とする。この態様によれば、一対の側壁の高さの異なる支持面によって、蓄冷材を上下に間隔をあけて互いに並行するように配置することが可能になる。
【００１６】
また、前記周側壁は平面視で矩形状の上方開口を形成する二対の対向する側壁からなり、一方の一対の対向する側壁には高さの異なる複数の支持面が第１の支持面群として設けられており、他方の一対の対向する側壁にも高さの異なる複数の支持面が第２の支持面群として設けられていることを特徴とする。この態様によれば、第１の支持面群と第２の支持面群の異なる高さの支持面によって蓄冷材を上下に間隔をあけて互いに交差するように配置することが可能になる。加えて、それぞれの支持面群の高さの異なる支持面によって蓄冷材を上下に間隔をあけて互いに並行するように配置することが可能になる。
【００１７】
上記の態様の保冷容器において上方開口が平面視で正方形である場合には、各側壁の幅が等しくなるため、一対の対向する側壁に形成された支持面間の距離と、他の一対の対向する側壁に形成された支持面間の距離が等しくなる。したがって、各支持面に寸法が等しい蓄冷材を使用することが可能になる。これにより、蓄冷材の管理や容器内への配置が容易になる。
【００１８】
本考案の保冷容器を構成する発泡樹脂には任意のものを用いることができる。ポリスチレン系樹脂、ポリオレフィン系樹脂、ポリエステル系樹脂の発泡樹脂などを好適に例示することができる。特に、成形性やコストの面から、保冷容器は予備発泡したポリスチレン系発泡樹脂粒子を型内発泡成形法により発泡成形して作られた発泡成形品であることが好ましい。また、本考案の保冷容器の上方開口を蓋体により密閉し、蓋体を備えた蓋付保冷容器として使用する場合には、保冷容器と蓋体とは同じ種類の発泡樹脂であることがリサイクル性から好ましいが、異なる発泡樹脂であってもよい。
【考案の効果】
【００１９】
以上の説明から理解できるように、本考案の保冷容器によれば、背の高さが異なる商品を効率よく保冷することができる。
【図面の簡単な説明】
【００２０】
【図１】本考案の第１実施形態に係る保冷容器の平面図。
【図２】（ａ）は図１のiia−iia線に沿う断面図、（ｂ）は図１のiib−iib線に沿う断面図。
【図３】本考案の第２実施形態に係る保冷容器の平面図。
【図４】図３のiv−iv線に沿う断面図。
【図５】本考案の第３実施形態に係る保冷容器の平面図。
【図６】図５のvi−vi線に沿う断面図。
【考案を実施するための形態】
【００２１】
以下、図１および図２を参照して本考案の保冷容器の第１実施形態を説明する。
【００２２】
本実施形態の保冷容器１は底板２と周側壁３と上方開口４を有する平面視が正方形の箱形容器であり、予備発泡したポリスチレン系発泡樹脂粒子を型内発泡成形法により発泡成形して作られた発泡成形品である。
【００２３】
図２に示すように、保冷容器１の底板２の下面には、複数の保冷容器を段積みする際に他の保冷容器１の上方開口４に内嵌合できる大きさの突出部２１が形成されている。なお、保冷容器１を水平面上に置いたときに底板２の上面は実質的に水平になる。
【００２４】
周側壁３は、前後に対向する一対の側壁３１，３２と、左右に対向する一対の側壁３３，３４により構成されている。これら二対の側壁３１，３２および３３，３４によって保冷容器１の上方に平面視で矩形状の上方開口４が形成されている。本実施形態の上方開口４は平面視が正方形であり、前後左右方向の開口幅が等しく、これにより各側壁３１，３２，３３，３４の幅も等しくなっている。
【００２５】
周側壁３の内壁面には蓄冷材Ｃ１，Ｃ２を上方開口４の近傍に掛け渡すように支持する支持部５が設けられている。支持部５は、底板２の上面からの高さが異なる複数の支持面５１，５２を有している。
【００２６】
蓄冷材Ｃ１，Ｃ２は、例えば平面視長方形の実質的に一様な厚さの平板状であり、例えばポリエチレン系樹脂容器に水、ゲル剤、保存料、着色料などを混合した液状体が封入されて構成されている。本実施形態の蓄冷材Ｃ１，Ｃ２は同一の寸法、仕様で製造されている。また、本実施形態において蓄冷材Ｃ１，Ｃ２の長さすなわち長手方向の寸法は上方開口４の開口幅に略等しく、幅すなわち短手方向の寸法は上方開口４の開口幅よりも狭くなっている。なお、本実施形態の蓄冷材Ｃ１，Ｃ２の幅は、上方開口の開口幅の約１／２であり、保冷容器１の上方開口４の近傍に２つの蓄冷材Ｃ１またはＣ２を同じ高さで幅方向に並べて掛け渡すことができるようになっている。
【００２７】
支持面５１は、図２（ｂ）に示すように、対向する左右の側壁３３，３４の内壁面を上方開口４から所定の深さその厚さ方向に切り欠くようにして段差状に形成されている。これにより、左右の側壁３３，３４の内壁面の間隔は、支持面５１の上方よりも下方において狭くなっている。また、左右の側壁３３，３４の内壁面の間隔は、支持面５１より上方で蓄冷材Ｃ１の長さと等しいかそれよりもやや広く、支持面５１から下方で蓄冷材Ｃ１の長さよりも狭くなっている。これにより、上方開口４から保冷容器１内に収容する蓄冷材Ｃ１の長さ方向の両端部の下面が、支持面５１によって下方から支持される。
【００２８】
支持面５２は、図２（ａ）に示すように、対向する前後の側壁３１，３２の内壁面を上方開口４から所定の深さその厚さ方向に切り欠くようにして段差状に形成されている。これにより、前後の側壁３１，３２の内壁面の間隔は、支持面５２の上方よりも下方において狭くなっている。また、前後の側壁３１，３２の内壁面の間隔は、支持面５２より上方で蓄冷材Ｃ２の長さと等しいかそれよりもやや広く、支持面５２から下方で蓄冷材Ｃ２の長さよりも狭くなっている。これにより、上方開口４から保冷容器１内に収容する蓄冷材Ｃ２の長さ方向の両端部の下面が、支持面５２によって下方から支持される。
【００２９】
支持面５１は支持面５２よりも底板２の上面からの高さが高い位置に形成され、支持面５２は支持面５１よりも底板２の上面からの高さが低い位置に形成されている。換言すると、上部開口４から支持面５２までの切り欠きの深さは、上部開口４から支持面５１までの切り欠きの深さよりも深くなっている。逆に、上部開口４から支持面５１までの切り欠きの深さは、上部開口４から支持面５２までの切り欠きの深さよりも浅くなっている。
【００３０】
ここで、上下の支持面５１，５２は、２つの蓄冷材Ｃ１，Ｃ２を上下に間隔をあけて配置可能に形成されている。具体的には、支持面５１，５２はこれらの間の高さ方向の距離が２つの蓄冷材Ｃ１，Ｃ２を上下に間隔をあけて配置可能な距離になるように上下に間隔をあけて形成されている。すなわち、本実施形態のように蓄冷材Ｃ１，Ｃ２の厚みが一様である場合には、上下の支持面５１，５２の間の高さ方向の距離すなわち上下方向の間隔は、下方の支持面５２に配置される蓄冷材Ｃ２の厚みよりも大きくされている。
【００３１】
支持面５１と支持面５２の上下方向の間隔は、例えば蓄冷材Ｃ２の厚みよりも５ｍｍから５０ｍｍ程度広くすることができる。これにより、蓄冷材Ｃ１，Ｃ２をそれぞれ支持面５１，５２によって支持することで、蓄冷材Ｃ１の下面と蓄冷材Ｃ２の上面との間に空間が形成され、蓄冷材Ｃ１，Ｃ２の間に５ｍｍから５０ｍｍ程度の高さ方向の間隔をあけて配置することが可能になる。
【００３２】
以下、本実施形態の保冷容器１の作用について説明する。本実施形態の保冷容器１は、例えば食品販売業者の商品配送センターで食品や飲料品などの保冷を要する商品が収容された後、蓄冷材Ｃ１，Ｃ２が収容されて支持部５によって商品の上方に支持される。その後、保冷容器１の上方開口４に不図示の蓋体を内嵌合させて保冷容器１を密閉する。あるいは、保冷容器１の上方開口４に他の保冷容器１の下面の突出部２１を内嵌合させて密閉する。
【００３３】
ここで、保冷容器１内の商品の背が低い場合、商品が少量である場合、あるいは商品が小型である場合など、容器下方にのみ商品が収容されている場合には、周側壁３の低い位置に形成された支持面５２によって蓄冷材Ｃ２を支持し、蓄冷材Ｃ２を低い位置に配置する。一方、保冷容器１内の商品の背が高い場合、商品が多量である場合、あるいは商品が大型である場合など、容器上方まで商品が収容されている場合には、周側壁３の高い位置に形成された支持面５１によって蓄冷材Ｃ１を支持し、蓄冷材Ｃ１を高い位置に配置する。このように高さの異なる支持面５１，５２を使い分け、商品の背の高さ、量、大きさに応じて蓄冷材Ｃ１，Ｃ２を配置する高さを変えることで、商品の上方のより近い位置に蓄冷材Ｃ１，Ｃ２を配置することが可能になる。
【００３４】
また、例えば背が高い商品と背が低い商品が混在している場合など、保冷容器１内で容器下方のみに商品が収容されている領域と容器上方まで商品が収容されている領域が存在する場合がある。この場合、容器下方のみに商品が収容されている領域に配置する蓄冷材Ｃ２を周側壁３の低い位置に形成された支持面５２によって支持し、容器上方まで商品が収容されている領域に配置する蓄冷材Ｃ１を周側壁３の高い位置に形成された支持面５１によって支持する。これにより、保冷容器１内に背が高い商品と背が低い商品が混在している場合であっても商品の上方のより近い位置に蓄冷材Ｃ１，Ｃ２を配置することが可能になる。
【００３５】
したがって、本実施形態の保冷容器１によれば、容器内の商品の背の高さの違いなどによって商品から上方に離れた位置に蓄冷材Ｃ１，Ｃ２が配置されることが回避され、背の高さが異なる商品に蓄冷材Ｃ１，Ｃ２を近付けて効率よく保冷することができる。
【００３６】
また、本実施形態の保冷容器１は、高い位置の支持面５１が左右の側壁３３，３４に形成され、低い位置の支持面５２が前後の側壁３１，３２に形成されている。そのため、蓄冷材Ｃ１，Ｃ２をそれぞれ支持面５１，５２によって支持して異なる高さに配置すると、蓄冷材Ｃ１，Ｃ２は平面視で互いに交差した状態で配置される。
【００３７】
図１および図２では、蓄冷材Ｃ１，Ｃ２をそれぞれ上方開口４の前後方向中央および左右方向中央に配置しているため、蓄冷材Ｃ１，Ｃ２は平面視で十字型に交差している。しかし、蓄冷材Ｃ１，Ｃ２のいずれか一方をいずれかの側壁３１，３２，３３，３４に近付けて配置することでＴ字型の配置とすることも可能である。また、蓄冷材Ｃ１を前後の側壁３１，３２のいずれか一方に近づけて配置し、かつ蓄冷材Ｃ２を左右の側壁３３，３４のいずれか一方に近づけて配置することでＬ字型の配置とすることも可能である。このような蓄冷材Ｃ１，Ｃ２の配置は、保冷容器１内に収容される商品の高さ、量、大きさ、形状などにより適宜選択することができる。
【００３８】
このように蓄冷材Ｃ１，Ｃ２を交差させて上下に間隔をあけて配置することで、平面視において以下の４つの領域が形成される。図１に示すように、第１の領域Ａ１は蓄冷材Ｃ１，Ｃ２が上下に重畳して配置される領域であり、第２の領域Ａ２は上方の蓄冷材Ｃ１のみが配置される領域であり、第３の領域Ａ３は下方の蓄冷材Ｃ２のみが配置される領域であり、第４の領域Ａ４は上下の蓄冷材Ｃ１，Ｃ２がいずれも配置されない領域である。各領域Ａ１，Ａ２，Ａ３，Ａ４間に、例えば以下のような空気の流れが生じることで、保冷容器１内の空気の冷却および対流が促進され、保冷容器１の保冷能力が向上する。
【００３９】
領域Ａ１では、例えば領域Ａ２，Ａ３，Ａ４から流入した空気が蓄冷材Ｃ１，Ｃ２の一方あるいは双方により冷却され、冷却された空気が下降し、あるいは領域Ａ２，Ａ３，Ａ４へ流出する。領域Ａ２では、例えば容器下方の比較的暖かい空気が容器上方へ上昇し、蓄冷材Ｃ１によって冷却された空気が容器下方へ下降し、あるいは領域Ａ１，Ａ３，Ａ４へ流出する。領域Ａ３では、例えば蓄冷材Ｃ２の下側で冷却された空気が容器下方へ下降するとともに、領域Ａ１，Ａ２，Ａ４から蓄冷材Ｃ２の上側に空気が流入して冷却され、領域Ａ１，Ａ２，Ａ４へ流出する。領域Ａ４では、例えば容器下方の比較的暖かい空気が容器上方まで上昇して領域Ａ１，Ａ２，Ａ３へ流出するとともに、領域Ａ１，Ａ２，Ａ３において上下の蓄冷材Ｃ１，Ｃ２の少なくとも一方によって冷却された空気が流入する。
【００４０】
ここで、本実施形態では、上下に隣り合う２つの支持面５１，５２に配置された２つの蓄冷材Ｃ１，Ｃ２の間には空間が形成される。詳細には、上方の支持面５１に配置された蓄冷材Ｃ１の下面と、下方の支持面５２に配置された蓄冷材Ｃ２の上面との間には空間が形成される。このように複数の蓄冷材Ｃ１，Ｃ２を互いに間隔をあけて上下に配置することで、上方の蓄冷材Ｃ１によって冷却された空気が下降して、下方の蓄冷材Ｃ２によって再冷却される。また、上下の蓄冷材Ｃ１，Ｃ２の間の空間に流入した空気が、上下の蓄冷材Ｃ１，Ｃ２によって同時に冷却される。すなわち、上下の蓄冷材Ｃ１，Ｃ２の間の空間に空気が流通することによって保冷容器１の保冷性能が向上する。
【００４１】
したがって、複数の蓄冷材Ｃ１，Ｃ２を同一の高さにのみ配置する場合や上下に間隔をあけずに重ねて配置する場合や平行に配置する場合と比較して、保冷容器１内の商品に対する保冷能力が向上する。加えて、上方の支持面５１に配置された蓄冷材Ｃ１によって下方の支持面５２に配置された蓄冷材Ｃ２が保冷されるので、保冷容器１内の商品の保冷が可能な時間を延長することが可能になる。
【００４２】
本実施形態において上下に隣り合う２つの蓄冷材Ｃ１，Ｃ２の間隔は、例えば５ｍｍ以上５０ｍｍ以下とされている。蓄冷材Ｃ１，Ｃ２の間隔が５ｍｍよりも小さくなると商品の背の高さに応じた蓄冷材Ｃ１，Ｃ２の高さの調節による効果が減少するだけでなく、上記のような蓄冷材Ｃ１，Ｃ２間の空気の流れが生じ難くなる。一方、蓄冷材Ｃ１，Ｃ２の間隔が５０ｍｍを超えると、蓄冷材Ｃ２の下方の空間が狭くなって商品の配置に支障をきたす虞がある。ただし、蓄冷材Ｃ１，Ｃ２の間隔の下限および上限は、商品の大きさや保冷容器１の大きさ、上下に配置する蓄冷材Ｃ１，Ｃ２の数などによって適宜変更され得る。
【００４３】
なお、本実施形態の保冷容器１において、高い位置の支持面５１に２つの蓄冷材Ｃ１を前後に並列に配置してもよいし、低い位置の支持面５２に２つの蓄冷材Ｃ２を左右に並列に配置してもよい。すなわち、上下の支持面５１，５２の少なくとも一方に１つ以上の蓄冷材Ｃ１またはＣ２を配置する多様な組み合わせを選択することができる。このような組み合わせは保冷容器１に収容される商品の背の高さ、量、数などに応じて適宜選択することができる。また、気温の高い夏場には保冷容器１に収容する蓄冷材Ｃ１，Ｃ２の数を増やし、気温の低い冬場には保冷容器１に収容する蓄冷材Ｃ１，Ｃ２の数を減らすこともできる。
【００４４】
また、本実施形態の保冷容器１は平面視が正方形であり、上方開口４も平面視が正方形に形成されている。これにより一対の対向する側壁３１，３２に形成された支持面５２，５２間の距離と、他の一対の対向する側壁３３，３４に形成された支持面５１，５１間の距離が等しくなる。したがって、各支持面５１，５２に寸法が等しい蓄冷材Ｃ１，Ｃ２を配置することが可能になる。これにより、蓄冷材Ｃ１，Ｃ２の管理や容器内への配置が容易になる。
【００４５】
次に、図３および図４を参照して本考案の保冷容器の第２実施形態について説明する。
【００４６】
本実施形態の保冷容器１Ａは平面視が長方形であり、支持部５が左右の側壁３３，３４にのみ設けられ、蓄冷材Ｃ３に張出部Ｐが形成されている点で上述の第１実施形態の保冷容器１と異なっている。その他の点は第１実施形態の保冷容器１と同様であるので、同様の部分には同一の符号を付して説明は省略する。
【００４７】
保冷容器１Ａは上方開口４が平面視で長方形であり、その前後方向の開口幅がその左右方向の開口幅よりも狭くなっている。すなわち左右の側壁３３，３４の幅は、前後の側壁３１，３２の幅よりも狭くなっている。本実施形態では、周側壁３の二対の対向する側壁３１，３２および３３，３４のうち、左右の側壁３３，３４にのみ支持部５を構成する高さの異なる複数の支持面５１ａ，５１ｂが支持面群として設けられている。
【００４８】
本実施形態の蓄冷材Ｃ３は長手方向に対向する短側面に張出部Ｐが設けられているが、それ以外は第１実施形態の蓄冷材Ｃ１，Ｃ２と同様に構成されている。張出部Ｐは、例えば蓄冷材Ｃ３を構成する容器と同じ材質で容器と一体的に形成される。張出部Ｐは平面視長方形の蓄冷材Ｃ３の短側面から蓄冷材Ｃ３の長手方向に部分的に突出した舌片状の部分である。張出部Ｐは、蓄冷材Ｃ３の一方の短側面の中央部に１つ形成され、他方の短側面の両端部に間隔をあけて２つ形成されている。この張出部Ｐの配置は後述する支持面５１ａ，５１ｂの配置に対応している。張出部Ｐの厚みは蓄冷材Ｃ３の本体部分と同じ厚みに形成してもよいし、本体部分よりも薄く形成してもよい。
【００４９】
なお、本実施形態において蓄冷材Ｃ３の幅すなわち短手方向の寸法は保冷容器１Ａの上方開口４の短手方向の開口幅よりも狭くなっているが、蓄冷材Ｃ３の幅は上方開口４の短手方向の開口幅と略等しくされていてもよい。
【００５０】
左の側壁３３の中央部には底板２からの高さが高い支持面５１ａが形成され、その両側には底板２からの高さが低い支持面５１ｂが形成されている。一方、右の側壁３４の中央部には底板２からの高さが低い支持面５１ｂが形成され、その両側には底板２からの高さが高い支持面５１ａが形成されている。すなわち、左右の側壁３３，３４で高い支持面５１ａと低い支持面５１ｂの配置が逆になり、高い支持面５１ａと低い支持面５１ｂとが左右に対向して設けられている。
【００５１】
左の側壁３３の中央の高い支持面５１ａと右の側壁３４の前後２つの高い支持面５１ａは、蓄冷材Ｃ３の張出部Ｐの位置に対応して設けられている。すなわち、蓄冷材Ｃ３の一方の短側面の中央に設けられた張出部Ｐを左の側壁３３の中央の高い支持面５１ａよって下方から支持したときに、蓄冷材Ｃ３の他方の短側面の両端部に設けられた２つの張出部Ｐが右の側壁３４の前後２つの高い支持面５１ａによって支持される。このように蓄冷材Ｃ３を左右の側壁３３，３４の高い位置に形成された複数の支持面５１ａによって支持することで、蓄冷材Ｃ３は保冷容器１内の高い位置に配置される。
【００５２】
同様に、左の側壁３３の前後２つの低い支持面５１ｂと右の側壁３４の中央の低い支持面５１ｂも、蓄冷材Ｃ３の張出部Ｐの位置に対応して設けられている。すなわち、蓄冷材Ｃ３の一方の短側面の両端部に設けられた２つの張出部Ｐを左の側壁３３の前後２つの低い支持面５１ｂよって下方から支持したときに、蓄冷材Ｃ３の他方の短側面の中央の張出部Ｐが右の側壁３４の中央の低い支持面５１ｂによって支持される。このように蓄冷材Ｃ３を左右の側壁３３，３４の低い位置に形成された複数の支持面５１ｂによって支持することで、蓄冷材Ｃ３は保冷容器１内の低い位置に配置される。
【００５３】
このように、本実施形態の保冷容器１Ａでは、蓄冷材Ｃ３の向きを反転させるだけで、蓄冷材Ｃ３の両端部を一対の対向する側壁３３，３４に設けられた支持部５の高さの異なる複数の支持面５１ａ，５１ｂすなわち支持面群によって下方から支持して、蓄冷材Ｃ３を上下に間隔をあけて互いに並行するように配置することが可能になる。
【００５４】
また、保冷容器１Ａ内に背の高い商品Ｇ１が配置された場合には、支持面群のうち高い位置に形成された支持面５１ａによって蓄冷材Ｃ３を支持し、保冷容器１Ａに背の低い商品Ｇ２が収容された場合には、支持面群のうち低い位置に形成された支持面５１ｂによって蓄冷材Ｃ３を支持することで、背の低い商品Ｇ２の上方に蓄冷材Ｃ３を近付けて配置することが可能になる。
【００５５】
したがって、本実施形態の保冷容器１Ａによれば第１実施形態の保冷容器１と同様の効果を得ることができる。なお、本実施形態において、蓄冷材Ｃ３は商品の背の高さ、量、大きさ、あるいは外気温などに各種の条件に応じて、低い位置に１つだけ配置してもよいし、高い位置に１つだけ配置してもよいし、上下に２つ配置してもよい。
【００５６】
次に、図５および図６を参照して本考案の保冷容器の第３実施形態について説明する。
【００５７】
本実施形態の保冷容器１Ｂは、前後の側壁３１，３２に支持部５が設けられ、支持部５が２つの蓄冷材Ｃ４，Ｃ５を左右に並列に支持可能に設けられている点で、上述の第２実施形態の保冷容器１Ａと異なっている。その他の点は上述の第２実施形態の保冷容器１Ａと同様であるので、同様の部分には同一の符号を付して説明は省略する。
【００５８】
本実施形態において、支持面群すなわち異なる高さの複数の支持面５１ａ，５１ｂは、前後の側壁３１，３２に設けられている。前の側壁３１には左端から右端まで、底板２からの高さが低い支持面５１ｂと底板２からの高さが高い支持面５１ａとが交互に３つずつ形成されている。一方、後の側壁３２には左端から右端まで、底板２からの高さが高い支持面５１ａと底板２からの高さの低い支持面５１ｂとが交互に３つずつ形成されている。すなわち、前後の側壁３１，３２で高い支持面５１ａと低い支持面５１ｂの配置が逆になり、高い支持面５１ａと低い支持面５１ｂとが前後に対向して設けられている。
【００５９】
すなわち、本実施形態の保冷容器１Ｂは、第２実施形態の保冷容器１Ａと同様の構成の支持部５が前後の側壁３１，３２に左右に２つ並んで設けられている。そのため、図６に示すように、保冷容器１Ｂ内に高さの異なる商品Ｇ１，Ｇ２を収容した場合であっても、背の低い商品Ｇ２の上方に蓄冷材Ｃ４を近付けて配置することが可能になる。
【００６０】
したがって、本実施形態の保冷容器１Ｂによれば第１、第２実施形態の保冷容器１，１Ａと同様の効果を得ることができる。なお、蓄冷材Ｃ４，Ｃ５は商品の背の高さ、量、大きさ、あるいは外気温など各種の条件に応じて、高い支持面５１ａに２つの蓄冷材Ｃ４，Ｃ５を左右に並列に配置してもよいし、低い支持面５１ｂに２つの蓄冷材Ｃ４，Ｃ５を左右に並列に配置してもよい。あるいは、左右の蓄冷材Ｃ４，Ｃ５の少なくとも一方を上下に２つ重畳して配置してもよい。すなわち、支持面群の上下の支持面５１ａ，５１ｂの少なくとも一方に１つ以上の蓄冷材Ｃ４またはＣ５を配置する多様な組み合わせを選択することができる。
【００６１】
また、保冷容器１Ｂ内に高さの異なる商品Ｇ１，Ｇ２を収容する際には、段差状に配置された蓄冷材Ｃ４，Ｃ５を覆うように保冷シートＳを被せてもよい。これにより商品Ｇ１，Ｇ２が収容されていない空間に冷気が流出することを防止して、保冷性能を向上させることができる。
【００６２】
以上、図面を参照しながら本考案の保冷容器の実施形態を説明したが、具体的な構成は上述の実施形態に限定されるものではなく、本考案の要旨を逸脱しない範囲における設計変更等があっても、それらは本考案に含まれるものである。
【００６３】
例えば、保冷容器の上方開口は平面視で矩形状に限られず、例えば円形、楕円形、矩形以外の多角形であってもよい。この場合、少なくとも周側壁の対向する部分に支持部を設ければよい。
【００６４】
また、上述の第１実施形態と第２実施形態または第３実施形態を組み合わせ、一方の一対の対向する側壁には高さの異なる複数の支持面が第１の支持面群として設けられており、他方の一対の対向する側壁にも高さの異なる複数の支持面が第２の支持面群として設けられている構成を採用することも可能である。
【００６５】
これにより、保冷容器内の商品の背の高さ、量、大きさなどに対応して、複数の蓄冷材を交差させ、重畳させ、あるいは並行させて上下に間隔をあけて配置することができる。加えて、外気温に対応した適切な数の蓄冷材を保冷容器内に収容することができるようになる。したがって、保冷容器内の商品に対応したより多様な蓄冷材の配置を行うことができ、商品の上方の近い位置により的確に蓄冷材を配置して保冷性能を向上させることが可能になる。
【００６６】
また、蓄冷材の本体の端部に張出部が設けられ、その張出部が支持面によって下方から支持される場合において、張出部の肉厚が蓄冷材本体の肉厚よりも薄い場合は、上下に隣り合う支持面の上下の間隔は、次の各寸法の和よりも大きくされる。すなわち、上方の支持面に配置された蓄冷材の張出部下面から本体下面までの上下方向の寸法と、下方の支持面に配置された蓄冷材の張出部下面から本体上面までの上下方向の寸法との和である。これにより、上に配置された蓄冷材の下面と下に配置された蓄冷材の上面との間に間隔をあけることができる。
【符号の説明】
【００６７】
１，１Ａ，１Ｂ…保冷容器、２…底板、２１…突出部、３…周側壁、３１，３２，３３，３４…側壁、４…上方開口、５…支持部、５１、５２…支持面、５１ａ，５１ｂ…支持面（支持面群）、Ｃ１，Ｃ２，Ｃ３，Ｃ４，Ｃ５…蓄冷材
【図１】
0003183560.tif 000003
【図２】
0003183560.tif 000004
【図３】
0003183560.tif 000005
【図４】
0003183560.tif 000006
【図５】
0003183560.tif 000007
【図６】
0003183560.tif 000008